(57)【要約】【課題】アングル形状の支柱を用いた場合であっても、コンパクトにネスティング可能なパレット支持枠を提供する。【解決手段】上面に荷物を載置可能な矩形のベースと、前記ベースの四隅に立設された４本の支柱と、前記ベースの後辺側に配置された左右２本の支柱の上部を接続する上部後辺梁部材と、前記ベースの両側辺側にそれぞれ配置された前後２本の支柱の上部を接続する２本の上部側辺梁部材とを有するパレット支持枠であって、前記上部側辺梁部材は、前記前後２本の支柱を結ぶ位置より内側の位置に配置される第一の形態と、前記前後２本の支柱を結ぶ位置より外側の位置に配置される第二の形態とに可逆的に変更可能であり、前記上部側辺梁部材を第二の形態とした場合に、複数のパレット支持枠をネスティング可能である。【選択図】図１
2019099359.tif 000002
【特許請求の範囲】
【請求項１】
上面に荷物を載置可能な矩形のベースと、
前記ベースの四隅に立設された４本の支柱と、
前記ベースの後辺側に配置された左右２本の支柱の上部を接続する上部後辺梁部材と、
前記ベースの両側辺側にそれぞれ配置された前後２本の支柱の上部を接続する２本の上部側辺梁部材と
を有するパレット支持枠であって、
前記上部側辺梁部材は、前記前後２本の支柱を結ぶ位置より内側の位置に配置される第一の形態と、前記前後２本の支柱を結ぶ位置より外側の位置に配置される第二の形態とに可逆的に変更可能であり、
前記上部側辺梁部材を第二の形態とした場合に、複数のパレット支持枠をネスティング可能である
パレット支持枠。
【請求項２】
前記上部側辺梁部材は、前後２本の支柱に対してそれぞれ回転自在に取り付けられたブラケットを有しており、
前記ブラケットを前記支柱に対して回転させることにより、前記上部側辺梁部材は、前記第一の形態と前記第二の形態とに可逆的に変更可能である
請求項１に記載のパレット支持枠。
【請求項３】
前記ベースは、
前辺側に配置された左右２本の支柱の下部を接続するベース前辺梁部材と、
後辺側に配置された左右２本の支柱の下部を接続するベース後辺梁部材と、
前記ベース前辺梁部材及び前記ベース後辺梁部材の両側をそれぞれ接続する２本のベース側辺梁部材と
を有し、
前記２本のベース側辺梁部材は、前記ベースの両側辺側にそれぞれ配置された前後２本の支柱を結ぶ位置より内側の位置に配置されている
請求項１又は２に記載のパレット支持枠。
【請求項４】
前記ベースの下部には、前記上部側辺梁部材を前記第一の形態としたパレット支持枠を上下方向に積み上げて棚状にする場合に、前記上部側辺梁部材の位置合わせをするための係止溝が形成されている
請求項１〜３のいずれか１項に記載のパレット支持枠。
【請求項５】
前記上部側辺梁部材は、前記第一の形態において逆Ｖ字形状をなしており、
前記係止溝は、前記上部側辺梁部材と係合可能な逆Ｖ字形状をなしている
請求項４に記載のパレット支持枠。
【請求項６】
前記支柱はいずれもアングル形状の山形鋼であり、前記山形鋼の山は上方からみて前記ベースの外側を向いている
請求項１〜５のいずれか１項に記載のパレット支持枠。
【発明の詳細な説明】
【技術分野】
【０００１】
本発明は、アングル形状の支柱を用いた場合であっても、コンパクトにネスティング可能なパレット支持枠に関する。
【背景技術】
【０００２】
荷物を収容管理する倉庫では、木製や樹脂製のパレットに荷物を載置して、フォークリフトで荷物が載置されたパレットごと運搬し、また保管している。そして、そのパレットを上下左右に効率よく配置して保管するためにパレット支持枠が用いられている。一般的なパレット支持枠の構造は、例えば特許文献１及び２に記載されている。
【０００３】
一方、パレットが積まれていない状態のパレット支持枠は、そのまま設置していると倉庫内のスペースを占有してしまうことから、分解するか、ネスティング（段積み）して屋外に移動させる。ネスティング可能なパレット支持枠の構造としては、例えば特許文献３に記載されており、またネスラック（登録商標）という名称で市販されている。
【先行技術文献】
【特許文献】
【０００４】
【特許文献１】特開２００１−２２５９２８号公報
【特許文献２】特開２００９−２６３０６０号公報
【特許文献３】特開平７−１５６９４９号公報
【発明の概要】
【発明が解決しようとする課題】
【０００５】
しかし、パレット支持枠を分解したり、ふたたびパレット支持枠を使用する際に組み立てたりするのには時間がかかり、作業効率が低下してしまう。さらに、分解可能なパレット支持枠は、一体型のパレット支持枠に比べて地震などの横揺れに弱いという問題があった。また、特許文献３に記載されたネスティング可能なパレット支持枠は、荷物を載置するベースの後辺側に立設された２本の支柱は断面が四角であることから、その分だけスペースが無駄になってしまう。ベースの四隅に立設される支柱をアングル形状とすれば、パレット支持枠を隙間なく配置することができスペースの無駄がなくなるが、アングル形状の支柱を用いたパレット支持枠でネスティング可能なものは存在しなかった。
【０００６】
そこで、本発明は、アングル形状の支柱を用いた場合であっても、コンパクトにネスティング可能なパレット支持枠を提供することを目的とする。
【課題を解決するための手段】
【０００７】
本発明に係るパレット支持枠は、
上面に荷物を載置可能な矩形のベースと、
前記ベースの四隅に立設された４本の支柱と、
前記ベースの後辺側に配置された左右２本の支柱の上部を接続する上部後辺梁部材と、
前記ベースの両側辺側にそれぞれ配置された前後２本の支柱の上部を接続する２本の上部側辺梁部材と
を有するパレット支持枠であって、
前記上部側辺梁部材は、前記前後２本の支柱を結ぶ位置より内側の位置に配置される第一の形態と、前記前後２本の支柱を結ぶ位置より外側の位置に配置される第二の形態とに可逆的に変更可能であり、
前記上部側辺梁部材を第二の形態とした場合に、複数のパレット支持枠をネスティング可能である。
【発明の効果】
【０００８】
本発明によれば、アングル形状の支柱を用いた場合であっても、コンパクトにネスティング可能なパレット支持枠を提供することができる。
【図面の簡単な説明】
【０００９】
【図１】本発明に係るパレット支持枠の構成例を示す模式図であり、上部側辺梁部材を第一の形態とした状態である。
【図２】本発明に係るパレット支持枠の構成例を示す模式図であり、上部側辺梁部材を第二の形態とした状態である。
【図３】本発明に係るパレット支持枠をネスティングする様子を示す模式図である。
【発明を実施するための形態】
【００１０】
本発明に係るパレット支持枠は、通常、荷物を収容管理する倉庫に設置されるものであり、荷物が載置された木製や樹脂製のパレットごと保管するための台座となるものである。本発明に係るパレット支持枠を設置する倉庫としては、通常の荷物を常温で保管する倉庫だけでなく、美術品などを保管するために温度や湿度の調整機能を備えた定温・定湿倉庫、食品を保管する冷蔵・冷凍倉庫などが挙げられる。
【００１１】
本発明に係るパレット支持枠の構成例を図１〜２に示す。図１〜２のパレット支持枠は、上面に荷物を載置可能な矩形のベース１と、ベース１の四隅に立設された４本の支柱２と、ベース１の後辺側に配置された左右２本の支柱２の上部を接続する上部後辺梁部材３と、ベース１の両側辺側にそれぞれ配置された前後２本の支柱２の上部を接続する２本の上部側辺梁部材４により構成されている。
【００１２】
そして、上部側辺梁部材４は、図１に示すように、前後２本の支柱２を結ぶ位置より内側の位置に配置される第一の形態と、図２に示すように、前後２本の支柱２を結ぶ位置より外側の位置に配置される第二の形態とに可逆的に変更可能である。より具体的には、第一の形態は、実際にパレット支持枠として使用する場合の形態であり、前後２本の支柱２を結ぶ位置より内側の位置に配置された上部側辺梁部材４の上に、別のパレット支持枠におけるベース１の下部を載せることで、パレット支持枠を全体として積み上げて棚状にすることができる。一方、第二の形態は、パレット支持枠を使用しない場合の形態であり、前後２本の支柱２を結ぶ位置より外側の位置に配置された上部側辺梁部材４は、別のパレット支持枠におけるベース１とは重ならず、図３に示すように、複数のパレット支持枠のベース１同士を積み重ね、パレット支持枠をネスティングすることが可能となる。すなわち、パレット支持枠を使用しない場合に、パレット支持枠をネスティングによりコンパクト化して収容することができる。
【００１３】
上部側辺梁部材４を第一の形態と第二の形態とに可逆的に変更可能とするために、上部側辺梁部材４は、図１〜２に示すように、前後２本の支柱２に対してそれぞれ回転自在に取り付けられたブラケット５を有していることが好ましい。このようなパレット支持枠であれば、上部側辺梁部材４の両側に接続されたブラケット５を支柱２に対して同時に回転させることにより、上部側辺梁部材４の位置を変更することができる。そして、上部側辺梁部材４が第一の形態となる位置でブラケット５を固定する機構（不図示）及び上部側辺梁部材４が第二の形態となる位置でブラケット５を固定する機構（不図示）を支柱２又はブラケット５に設けることで、上部側辺梁部材４を第一の形態と第二の形態とに可逆的に変更可能な構造とすることができる。
【００１４】
上部側辺梁部材４の形状は、円柱（筒）状又は角柱（筒）状でも構わないが、アングル形状の山形鋼であることが好ましく、第一の形態において断面が逆Ｖ字形状（山形鋼の山が上方に向いた状態）をなしていることがより好ましい。こうすることで、上部側辺梁部材４の強度を確保しつつ軽量化が可能となり、また上部側辺梁部材４を第一の形態としたパレット支持枠を上下方向に積み上げて棚状にする場合に、上部側辺梁部材４の位置合わせをすることが容易となる。上部側辺梁部材４となる山形鋼の山の幅は、剛性等を考慮して適宜設定すればよいが、２０〜１００ｍｍとすることが好ましく、４０〜８０ｍｍとすることがより好ましく、例えば６０ｍｍとすることができる。上部側辺梁部材４の長さは、パレット支持枠の奥行に合わせて適宜設定すればよいが、７００〜１５００ｍｍとすることが好ましく、例えば１０００ｍｍとすることができる。
【００１５】
上部後辺梁部材３の形状は、円柱（筒）状又は角柱（筒）状でも構わないが、アングル形状の山形鋼であることが好ましく、山形鋼の山が斜め後方に向いた状態であることがより好ましい。こうすることで、上部後辺梁部材３の強度を確保しつつ軽量化が可能となる。上部後辺梁部材３の長さは、パレット支持枠の幅に合わせて適宜設定すればよいが、７００〜１５００ｍｍとすることが好ましく、例えば１２００ｍｍとすることができる。
【００１６】
支柱２の形状は、円柱（筒）状又は角柱（筒）状でも構わないが、アングル形状の山形鋼であることが好ましく、山形鋼の山が上方からみてベース１の外側を向いていることが好ましい。こうすることで、支柱２の強度を確保しつつ軽量化が可能となり、またパレット支持枠を隙間なく配置することができスペースの無駄がなくなる。支柱２となる山形鋼の山の幅は、剛性等を考慮して適宜設定すればよいが、２０〜１００ｍｍとすることが好ましく、４０〜８０ｍｍとすることがより好ましく、例えば６０ｍｍとすることができる。支柱２の長さは、パレット支持枠の高さに合わせて適宜設定すればよいが、１０００〜２０００ｍｍとすることが好ましく、例えば１５００ｍｍとすることができる。
【００１７】
図１のパレット支持枠におけるベース１は、前辺側に配置された左右２本の支柱２の下部を接続するベース前辺梁部材１ａと、後辺側に配置された左右２本の支柱２の下部を接続するベース後辺梁部材１ｂと、ベース前辺梁部材１ａ及びベース後辺梁部材１ｂの両側をそれぞれ接続する２本のベース側辺梁部材１ｃと、前後又は左右の梁部材を接続して補強するベース補強梁部材１ｄにより構成されており、全体として矩形をなしている。こうすることで、ベース１の上面に荷物（荷物が載置されたパレット）を載置可能となる。
【００１８】
ここで、２本のベース側辺梁部材１ｃは、ベース１の両側辺側にそれぞれ配置された前後２本の支柱２を結ぶ位置より内側の位置に配置されていることが好ましい。こうすることで、図３に示すように、複数のパレット支持枠のベース１同士を積み重ねることが可能となり、パレット支持枠をネスティング可能な構造にすることができる。
【００１９】
ベース１を構成する各梁部材の形状は、円柱（筒）状又は角柱（筒）状でもよく、アングル形状の山形鋼でもよい。ベース１の軽量化の観点からは山形鋼であることが好ましく、ベース１の強度を確保する観点からは円柱（筒）状又は角柱（筒）状であることが好ましいことから、それらを考慮して適宜選択することができる。ベース１の広さは、パレット支持枠の幅及び奥行に合わせて適宜設定すればよいが、幅及び奥行とも７００〜１５００ｍｍとすることが好ましく、例えば幅１２００ｍｍ×奥行１０００ｍｍとすることができる。
【００２０】
なお、パレット支持枠をネスティング可能な構造にすることを考慮すると、支柱２間には、図１〜２に示すように、上部後辺梁部材３、２本の上部側辺梁部材４、及びベース１を構成する各種梁部材以外の梁部材が接続されていないことが好ましい。ただし、パレット支持枠をネスティングすることが可能な範囲において、必要に応じて補強用の梁部材を有していてもよく、例えばベース１の後辺側に配置された左右２本の支柱２を接続する補強用の梁部材を有していても構わない。
【００２１】
さらに、ベース１の下部には、上部側辺梁部材４を第一の形態としたパレット支持枠を上下方向に積み上げて棚状にする場合に、上部側辺梁部材４の位置合わせをするための係止溝が形成されていることが好ましい。具体的には、図１〜２に示すように、ベース１には、逆Ｖ字形状を有する係止溝６ａが形成された係止プレート６が取り付けられており、係止溝６ａが上部側辺梁部材４と係合可能であることが好ましい。こうすることで、上部側辺梁部材４を第一の形態としたパレット支持枠を上下方向に積み上げて棚状にする場合に、上部側辺梁部材４の位置合わせをすることが容易となる。
【００２２】
以上のようなパレット支持枠であれば、アングル形状の支柱を用いた場合であっても、コンパクトにネスティング可能となる。
【符号の説明】
【００２３】
１    ベース
１ａ  ベース前辺梁部材
１ｂ  ベース後辺梁部材
１ｃ  ベース側辺梁部材
１ｄ  ベース補強梁部材
２    支柱
３    上部後辺梁部材
４    上部側辺梁部材
５    ブラケット
６    係止プレート
６ａ  係止溝
【図１】
2019099359.tif 000003
【図２】
2019099359.tif 000004
【図３】
2019099359.tif 000005